(57)【要約】【課題】フィルタユニット、延いては化粧板が平面方向へ捩れた場合にも、化粧板の捩れを容易且つ迅速に修正することができるようにして見栄えを向上させた空気吹出口部構造を提供する。【解決手段】吊ボルトにより吊下げられると共にダクトが接続されたフィルタユニットの天井パネルから下方へ突出した下部に複数の空気吹出孔１３ｄが形成された化粧板１３が装着された空気吹出口部構造であって、化粧板１３には、平面視で同一円周Ｃ上に、円周方向へ延在する複数の長孔状のボルト孔２１が設けられると共に、ボルト孔２１に挿通させたボルトはフィルタユニットのケーシングに設けたナットに螺合されることにより、化粧板１３はフィルタユニットの下部に装着される。【選択図】図１
2007232278.tif 000002
【特許請求の範囲】
【請求項１】
吊ボルトにより吊下げられると共にダクトが接続されたフィルタユニットの天井パネルから下方へ突出した部分に、前記フィルタユニットの下端開口部を覆うよう、複数の空気吹出孔が形成された化粧板が装着された空気吹出口部構造であって、前記化粧板には、平面視で同一円周上又は／及び同心円上に、円周方向へ延在する複数の長孔状のボルト孔が設けられると共に該ボルト孔に挿通させたボルトは前記フィルタユニットのケーシングに設けた雌ねじ部に螺合されることにより、前記化粧板はフィルタユニットの下部に装着されるよう構成されていることを特徴とする空気吹出口部構造。
【請求項２】
フィルタユニットはＨＥＰＡフィルタ若しくはＵＬＰＡフィルタである請求項１に記載の空気吹出口部構造。
【発明の詳細な説明】
【技術分野】
【０００１】
本発明はクリーンルーム等に適用される空気吹出口部構造に関する。
【背景技術】
【０００２】
例えば、クリーンルームではダクトから送給された空気を天井部に設置したフィルタユニットを通してその空気吹出口から室内へ吹出すようにしている。而して、斯かる空気を吹出すための空気吹出口部近傍の配置の一例は図３〜図６に示されている。図中、１はＨＥＰＡ（ｈｉｇｈ  ｅｆｆｉｃｉｅｎｃｙ  ｐａｒｔｉｃｕｌａｔｅ  ａｉｒ）フィルタ等のフィルタユニットであって、下端に開口部２ａが形成された箱状のケーシング２を備えている。又、ケーシング２内にはフィルタ本体３が収納されており、フィルタ本体３は固定ボルト４を介しケーシング２内に固設したフィルタ固定ブラケット５，６に固定されている。
【０００３】
ケーシング２の上面板２ｂには複数の吊ボルト７がナット８を介し締結されており、吊ボルト７の上端は、コンクリートスラブ９の下面に取付けられている凹凸状のデッキプレート１０を貫通して、コンクリートスラブ９内に埋設されている吊下治具１１の雌ねじ部に螺合されている。
【０００４】
フィルタユニット１のケーシング２の下部は、天井パネル１２の開口部１２ａから下方へ突出しており、ケーシング２下端に形成されたフランジ２ｃは天井パネル１２の直下に天井パネル１２と平行となるよう位置している。フランジ２ｃの外周には位置決め及び密閉用の突起２ｄが形成されている。
【０００５】
ケーシング２の下部には、ケーシング２の開口部２ａ及びフランジ２ｃを下から覆うよう、天井パネル１２の下部に位置する化粧板１３が配置されている。化粧板１３は薄い矩形皿状をしており、中央側の下方へ向けて突出する底部１３ａからフランジ２ｃと平行な外周側のフランジ１３ｃに向かって上り勾配に延びる傾斜部１３ｂには多数の空気吹出孔１３ｄが穿設されている。又、化粧板１３のフランジ１３ｃにおける外周縁部には、略直角に折り曲げられて上方へ向くよう形成された縁板部１３ｅが設けられており、フランジ１３ｃの四隅には丸孔形状のボルト孔１３ｆが穿設されている。
【０００６】
化粧板１３におけるフランジ１３ｃに設けたボルト孔１３ｆには、下からボルト１４が挿通されており、ボルト１４の上端はフィルタユニット１のケーシング２におけるフランジ２ｃの下面に固設したナット１５に螺合している。而して、化粧板１３はフィルタユニット１の下端を被覆するよう、ケーシング２の下部に装着されるようになっている。フランジ２ｃの下面にはナット１５を設けず、フランジ２ｃに雌ねじを螺設した治具を固設しても良い。
【０００７】
図３〜図６中、１６はケーシング２の上部側側部に形成した短ダクト２ｅに接続されたダクト、１７はダクト１６に接続された主ダクト、１８は隣合う天井パネル１２の繋ぎ目の目地、１９は吊ボルト７の下端に螺合したナット８を覆うよう設けたコーキングである。
【０００８】
空気を吹出すための空気吹出口部近傍の配置の他の例は図７に示されている。而して、本図示例においては、ダクト１６はフレキシブルダクト２０を介してフィルタユニット１におけるケーシング２の短ダクト２ｅに接続されている他は図３に示す配置と略同一であり、図中、図３と同一の部分には同一の符号が付してある。又、化粧板１３には多数の空気吹出孔１３ｄ（図４、図６参照）、及びボルト孔１３ｆが穿設されている。
【０００９】
空気吹出口に化粧板を配置した先行技術文献としては特許文献１がある。
【特許文献１】特開２００４−２５１５３３号公報
【発明の開示】
【発明が解決しようとする課題】
【００１０】
図３〜図７に示す空気吹出口部においては、化粧板１３は、フランジ１３ｃに穿設した丸孔状のボルト孔１３ｆにボルト１４を挿通させて、ケーシング２におけるフランジ２ｃの下面に固設したナット１５にボルト１４を螺合することにより、ケーシング２の下部に装着されている。
【００１１】
しかるに、フィルタユニット１は吊ボルト７によりコンクリートスラブ９に埋設した吊下治具１１から吊下げられて固定されているため、コンクリートスラブ９に対する吊下治具１１の埋設位置のずれや吊ボルト７の歪み、フィルタユニット１のケーシング２に接続されたダクト１６からの押し引き力等によりフィルタユニット１が平面方向へ捩れることがあり、フィルタユニット１が捩れれば、化粧板１３も同様に平面方向へ捩れることになる。
【００１２】
この捩れが生じた場合、空気吹出口部は性能上の問題はないが、化粧板１３における縁板部１３ｅの外縁辺１３ｅ’は、図６に示すように天井パネル１２の目地１８に対し平行とならず、見栄えが悪くなる。
【００１３】
このため、フィルタユニット１が平面方向へ捩れた場合には、見栄えを良くするため、フィルタユニット１の捩れを修正する必要があるが、天井裏でフィルタユニット１の向きを、吊ボルト７を曲げたりダクト１６を押し引きして強制的に変更する必要があるため、作業がやり難く、又、修正する箇所が多いと作業はますます困難となり、更に、フィルタユニット１自体の捩れは修正せずに化粧板１３の捩れのみを修正しようとしても、化粧板１３取付け用のボルト１４と、化粧板１３のフランジ１３ｃに設けたボルト孔１３ｆとの隙間が小さいため、化粧板１３のみの捩れを修正するのは困難である。
【００１４】
図７に示すように空気吹出口部を形成するフィルタユニット１のケーシング２にフレキシブルダクト２０を介してダクト１６を接続した場合は、ダクト１６からの押し引き力によるフィルタユニット１の捩れはなくなるが、コンクリートスラブ９に対する吊下治具１１の埋設位置のずれや吊ボルト７の歪みによるフィルタユニット１延いては化粧板１３の捩れは防止することができず、従って、フィルタユニット１や化粧板１３の捩れの修正には前述したと同様の問題がある。
【００１５】
又、特許文献１の場合は、化粧板に設けてある取付け用の孔は長孔であるため、化粧板は長孔の長手方向の位置調整は可能であるが、捩れには対応できない。
【００１６】
本発明は上述の実情に鑑み、天井コンクリートに対する吊下治具の埋設位置のずれや吊ボルトの歪み、フィルタユニットのケーシングに接続されるダクトからの押し引き力等によりフィルタユニット、延いては化粧板が平面方向へ捩れた場合にも、化粧板の捩れを容易且つ迅速に修正することができるようにして見栄えを向上させたクリーンルーム等の空気吹出口部構造を提供することを目的としてなしたものである。
【課題を解決するための手段】
【００１７】
本発明の請求項１の空気吹出口部構造は、吊ボルトにより吊下げられると共にダクトが接続されたフィルタユニットの天井パネルから下方へ突出した部分に、前記フィルタユニットの下端開口部を覆うよう、複数の空気吹出孔が形成された化粧板が装着された空気吹出口部構造であって、前記化粧板には、平面視で同一円周上又は／及び同心円上に、円周方向へ延在する複数の長孔が設けられると共に該長孔に挿通させたボルトは前記フィルタユニットのケーシングに設けた雌ねじ部に螺合されることにより、前記化粧板はフィルタユニットの下部に装着されるよう構成されている。
【００１８】
本発明の請求項２の空気吹出口部構造においては、フィルタユニットはＨＥＰＡフィルタ若しくはＵＬＰＡフィルタである。
【発明の効果】
【００１９】
本発明の請求項１、２に記載の空気吹出口部構造によれば、フィルタユニットが捩れた場合にも、化粧板の平面方向の位置のみを修正すれば良いから修正作業を容易且つ迅速に行なうことができると共に、空気吹出口部の見栄えが良好となる、という優れた効果を奏し得る。
【発明を実施するための最良の形態】
【００２０】
以下、本発明の実施の形態を添付図面を参照して説明する。
図１、図２は本発明を実施する形態の一例であって、空気吹出口部の構成は化粧板１３以外は図３や図７に示すものと同一構成である。図中、図４、図６に示すものと同一のものには同一の符号が付してある。
而して、本図示例においては、化粧板１３のフランジ１３ｃには、底部１３ａの中心部Ｏを基準として同一円周Ｃ上に位置するよう、円周方向へ延在する長孔状のボルト孔２１が設けられており、化粧板１３をフィルタユニット１の下面に取付ける際には、ボルト１４は長孔状のボルト孔２１から挿通されて、図３、図４に示すナット１５に螺合される。
【００２１】
従って、取付けの結果、フィルタユニット１延いては化粧板１３が図６に示すように捩れて縁板部１３ｅの外縁辺１３ｅ’が目地１８に対して平行とならなかった場合は、ボルト１４を緩め、化粧板１３をボルト孔２１の長手方向へ、中心部Ｏを基準として回動させて位置調整し、外縁辺１３ｅの外縁辺１３ｅ’が目地１８と平行となるように化粧板１３の位置の修正を行なう。化粧板１３が所定の状態になったら、ボルト１４を締める。これにより、フィルタユニット１の捩れを修正しなくても化粧板１３のみの捩れを修正することにより、空気吹出口部の見栄えが良好となる。
【００２２】
本図示例によれば、フィルタユニット１が捩れた場合にも、化粧板１３の位置のみを修正すれば良いから修正作業を容易且つ迅速に行なうことができると共に、空気吹出口部の見栄えが良好となる。
【００２３】
なお、本発明の空気吹出口部構造においては、フィルタユニットはコンクリートスラブから吊下げる場合について説明したが、鉄骨等の構造体から吊下げることもできること、化粧板に設ける長孔状のボルト孔を同一円周上に設ける場合について説明したが、同心円上に設ければ実施可能であること、クリーンルームのみならず種々の室の空調に対して適用することが可能なこと、フィルタはＨＥＰＡフィルタに限らずＵＬＰＡ（ｕｌｔｒａ  ｌｏｗ  ｐｅｎｅｔｒａｔｉｏｎ  ａｉｒ）フィルタ等種々のフィルタを使用することができること、その他、本発明の要旨を逸脱しない範囲内において種々変更を加え得ることは勿論である。
【図面の簡単な説明】
【００２４】
【図１】本発明の空気吹出口部構造に適用する化粧板を下から見た形状を示す底面図である。
【図２】図１のＩＩ部拡大図である。
【図３】一般的な空気吹出口部構造を説明するためのフィルタユニット近傍の一例の縦断面図である。
【図４】図３のＩＶ−ＩＶ方向矢視図である。
【図５】図４のＶ部拡大図である。
【図６】図３に示す化粧板が平面方向へ捩れた状態を示す底面図である。
【図７】一般的な空気吹出口部構造を説明するためのフィルタユニット近傍の他の例の縦断面図である。
【符号の説明】
【００２５】
１  フィルタユニット
２  ケーシング
２ａ        開口部（下端開口部）
７  吊ボルト
１２  天井パネル
１３  化粧板
１３ｄ        空気吹出孔
１５  ナット（雌ねじ部）
１６  ダクト
２１  長孔状のボルト孔
Ｃ      同一円周
【図１】
2007232278.tif 000003
【図２】
2007232278.tif 000004
【図３】
2007232278.tif 000005
【図４】
2007232278.tif 000006
【図５】
2007232278.tif 000007
【図６】
2007232278.tif 000008
【図７】
2007232278.tif 000009